(57)【要約】      （修正有）【課題】簡単な構成で確実にピンを係脱しうると共に、信頼性を高め長寿命化を図ったピアス用キャッチを提供する。【解決手段】ピアス用キャッチは、キャッチ本体５の挿通孔６の中途位置にバネ収納室７を設けて、Ｃリングバネ８を収納しておき、ピアスのピン２を挿通孔６に挿入してピン２の大径部分でＣリングバネ８を径方向に拡大変形させながら進動させ、ピン２の係止凹部３がバネ収納室７まで侵入すると縮小方向の付勢力でＣリングバネ８が係止凹部３に係脱可能に係止してロックすることを特徴とする。【選択図】図１
0003147200.tif 000002
【実用新案登録請求の範囲】
【請求項１】
装飾体１に固定されたピン２と、
該ピン２の長手方向の中途位置に形成された凹部または環状溝からなる係止凹部３と、
前記ピン２を挿入するための挿通孔６を有するキャッチ本体５と、
前記挿通孔６の中途位置で挿通孔６の径方向に拡大して前記挿通孔６と連通するバネ収納室７と、
該バネ収納室７内に収納され、一端が破断した断面略Ｃ状のリングからなって前記ピン２が中央の孔に挿入されると付勢力に抗して径方向に拡大変形するＣリングバネ８とを有し、
前記ピン２を挿通孔６に挿入し、ピン２の大径部分でＣリングバネ８を径方向に拡大変形させながら侵入させ、前記ピン２の係止凹部３がバネ収納室７まで侵入すると縮小方向の付勢力で前記Ｃリングバネ８を前記係止凹部３に係脱可能に係止させてなることを特徴とするピアス用キャッチ。
【請求項２】
バネ収納室７の直径が、前記ピン２の挿入によりＣリングバネ８が拡大変形する際に、Ｃリングバネ８が繰り返し復元可能な変形に規制する直径に設定されていることを特徴とする請求項１に記載のピアス用キャッチ。
【請求項３】
キャッチ本体５が、第１台部１１と、該第１台部１１を貫通し挿通孔の一部を構成する貫通孔１２と、該貫通孔１２の先端に形成されて外側に向かって漸次幅広となる断面テーパ状の挿入口１３と、前記貫通孔１２の延出端で半径方向に拡大して底部が開放された断面円形の凹部１４とを有する第１部材１０と、
前記第１台部１１の底部に固着される第２台部２１と、該第２台部２１の先端で小径に設定されて前記凹部１４の中途位置まで突入し凹部１４をバネ収納室７とする小径突部２２と、前記第１部材１０の貫通孔１２と整合し、前記小径突部２２を貫通し第２台部２１に延出して前記貫通孔１２と共にピンの挿通孔６を形成する孔部２３とを有する第２部材２０とからなっていることを特徴とする請求項１または２に記載のピアス用キャッチ。
【請求項４】
キャッチ本体５が別体の装飾体１’に内蔵されており、前記別体の装飾体１’の表面に挿通孔６の挿入口１３を開口しており、２つの装飾体１、１’をリバーシブルに使用しうることを特徴とする請求項１、２または３のいずれかに記載のピアス用キャッチ。
【考案の詳細な説明】
【技術分野】
【０００１】
本考案は、Ｃリングバネを用いてピンを係脱できるようにしたピアス用キャッチの改良に関する。
【背景技術】
【０００２】
従来のピアス用キャッチは、薄い金属板中央にピンを挿入するための貫通孔を設け、その両側を中央に向かって曲げてバネ部材を形成したもので、装飾体を固定したピンをバネ部材のバネ力に抗してキャッチの貫通孔に挿入すると、ピンのくびれ部にバネ部材が嵌合してキャッチを係止する構造からなっている。
また、キャッチ本体の一部に充填材を充填しピン挿入路を形成し、充填材の表面はピン挿入口を設けた蓋で覆い、充填材が抜け落ちるのを防止したものもあった。
上記キャッチはピンの抜け止め専用であり、バネ部材に緩みが生じると落下紛失する虞れがあった。
そこで、例えば、実公平７−３１６９４号では、キャッチ本体に設けた有底筒状穴部に、ゴム、軟質合成樹脂、エラストマー等の弾性を有する素材を充填して充填部を形成し、かつ、この充填部の中心部に、ピンよりも若干直径の狭いピン挿通路を設け、充填部の表面にピン貫通口を有する蓋を装着したピアス用キャッチが提案されている。
これにより、キャッチを留め具としての機能だけでなく装飾パーツとしても利用することができ、１個のピアスでピンの装飾パーツとキャッチとの２種類の装飾パーツを使い分けることができる。
しかし、上記構成では、ピンの殆どを弾性素材で挟圧する必要があり、キャッチが大型化してしまい、キャッチ本体の構造が限られ装飾性に乏しい欠点がある。
また、ピンの挿入によって弾性素材が損傷したり、穴が空いたりして破損する虞れもあった。
【特許文献１】実公平７−３１６９４号公報
【考案の開示】
【考案が解決しようとする課題】
【０００３】
この考案は上記事情に鑑みて創案されたものであって、その主たる課題は、簡単な構成で確実にピンを係脱しうると共に、信頼性を高め長寿命化を図ったピアス用キャッチを提供することにある。
この考案の別の課題は、キャッチを小型化しうるので、別の装飾体に容易に内蔵してリバーシブルのピアスとして使用しうると共に、装飾体の形状の限定を少なくして種々の装飾を可能にすると共に紛失防止効果の高いピアス用キャッチを提供することにある。
【課題を解決するための手段】
【０００４】
請求項１の考案では、
装飾体１に固定されたピン２と、該ピン２の長手方向の中途位置に形成された凹部または環状溝からなる係止凹部３と、前記ピン２を挿入するための挿通孔６を有するキャッチ本体５と、前記挿通孔６の中途位置で挿通孔６の径方向に拡大して前記挿通孔６と連通するバネ収納室７と、該バネ収納室７内に収納され、一端が破断した断面略Ｃ状のリングからなって前記ピン２が中央の孔に挿入されると付勢力に抗して径方向に拡大変形するＣリングバネ８とを有し、
前記ピン２を挿通孔６に挿入し、ピン２の大径部分でＣリングバネ８を径方向に拡大変形させながら侵入させ、前記ピン２の係止凹部３がバネ収納室７まで侵入すると縮小方向の付勢力で前記Ｃリングバネ８を前記係止凹部３に係脱可能に係止させてなることを特徴とする。
また、請求項２の考案では、
前記バネ収納室７の直径が、前記ピン２の挿入によりＣリングバネ８が拡大変形する際に、Ｃリングバネ８が繰り返し復元可能な変形に規制する直径に設定されていることを特徴とする。
また、請求項３の考案では、
前記キャッチ本体５が、第１台部１１と、該第１台部１１を貫通し挿通孔の一部を構成する貫通孔１２と、該貫通孔１２の先端に形成されて外側に向かって漸次幅広となる断面テーパ状の挿入口１３と、前記貫通孔１２の延出端で半径方向に拡大して底部が開放された断面円形の凹部１４とを有する第１部材１０と、
前記第１台部１１の底部に固着される第２台部２１と、該第２台部２１の先端で小径に設定されて前記凹部１４の中途位置まで突入し凹部１４をバネ収納室７とする小径突部２２と、前記第１部材１０の貫通孔１２と整合し、前記小径突部２２を貫通し第２台部２１に延出して前記貫通孔１２と共にピンの挿通孔６を形成する孔部２３とを有する第２部材２０とからなっていることを特徴とする。
更に、請求項４の考案では、
前記キャッチ本体５が別体の装飾体１’に内蔵されており、前記別体の装飾体１’の表面に挿通孔６の挿入口１３を開口しており、２つの装飾体１、１’をリバーシブルに使用しうることを特徴とする。
【考案の効果】
【０００５】
本考案のピアス用キャッチは、ピンの係止凹部を径方向に拡縮可能なＣリングネジの付勢力で係止する構成としたので、確実にピンをロックすることができる。
また、Ｃリングバネの拡大変形をバネ収納室の直径を所定長さにすることで、Ｃリングバネの復元を繰り返し行うことができ、長寿命化を図ることができる。
更に、キャッチ本体を第１部材と第２部材の連結構造とすることで、組立を容易化し、またピンが固着された装飾体とは別の装飾体に内蔵することができるので、リバーシブルでの利用が可能となり、また紛失防止効果の向上も図ることができる。
【考案を実施するための最良の形態】
【０００６】
キャッチ本体の挿通孔の中途位置にＣリングバネを収納したバネ収納室を設け、その内部でＣリングバネを拡縮させることで、信頼性が高く長寿命化を図れるピアス用キャッチを実現した。
【実施例１】
【０００７】
以下に、この考案のピアス用キャッチの好適実施例について図面を参照しながら説明する。
図１および図２に示すピアスは、装飾体１に固定されたピン２を有している。
該ピン２は、先端が断面テーパ状からなって、その長手方向の中途位置に凹部または断面円弧状の環状溝からなる係止凹部３が形成された公知構成からなっている。
【０００８】
ピアス用キャッチは、本実施例の場合、前ピアスの記装飾体１とは別の装飾体１’に内蔵されるものであって、キャッチ本体５と、該キャッチ本体５に形成されて前記ピン２を通す挿通孔６と、該挿通孔６と連なるバネ収納室７と、該バネ収納室７に内蔵されたＣリングバネ８とからなっている。
【０００９】
本実施例では、前記キャッチ本体５は、図３に一層明瞭なように、第１部材１０と第２部材２０との連結構造からなっている。
第１部材１０は、第１台部１１と、該第１台部１１を貫通し挿通孔６の一部を構成する貫通孔１２と、該貫通孔１２の先端に形成されて外側に向かって漸次幅広となる断面テーパ状の挿入口１３と、前記貫通孔１２の延出端で半径方向に拡大して底部が開放された断面円形の凹部１４とからなっている。
【００１０】
即ち、第１台部１１は、図示例の場合、先端側が外側に向かって漸次拡大する截頭円錐形状の頭部を有し、該頭部に連なって小径で同一断面の頸部とからなっており、前記頭部には外側が大径となる断面テーパ状の挿入口１３が形成され、前記頸部には挿入口１３と連通し挿通孔６の一部を構成する貫通孔１２が穿設されている。
また、前記貫通孔１２の延出端側には、貫通孔１２より大径に設定され（径方向に拡大して）第１台部１１の底部が開放された断面円形の凹部１４が形成されている。
【００１１】
また、第２部材２０は、前記第１台部１１の底部に固着される第２台部２１と、該第２台部２１の先端で小径に設定されて前記凹部１４の中途位置まで突入し凹部１４をバネ収納室７とする小径突部２２とからなっている。
【００１２】
そして、上記小径突部２２と第２台部２１とを貫通し、前記第１部材１０の貫通孔１２と整合する孔部２３が形成されており、該孔部２３は前記貫通孔１２と共にピンの挿通孔６を形成する。
上記実施例で孔部２３は貫通孔としたが、この考案では有底の孔としてもよい。
【００１３】
このように形成される挿通孔６は、前記ピン２の径と同じ又はやや大径に設定されており、ピン２は前記挿入口１３のテーパ面にガイドされ、スムーズに挿入孔６に挿入させることができる。
【００１４】
前記第１部材１０の凹部１４には、図４に例示するＣリングバネ８が収納される。
該Ｃリングバネ８は、一端が破断した断面略Ｃ状のリングからなっており、中央の孔は前記ピン２の最大直径よりも短い直径の長さに設定されている（図５（ａ）参照）。
【００１５】
そして、凹部１４にＣリングバネ８を収納した状態で、前記台２部材２０の小径突部２２を凹部１４の中途位置まで嵌合し凹部１４を塞ぐことで、バネ収納室７が形成される。
また、第２台部２１を第１台部１１の底面に固定することで、キャッチ本体５が組立てられる。
【００１６】
この際に、前記挿入口１３、貫通孔１２、バネ収納室７および孔部２３は、同軸線上に揃うので一連の貫通孔からなる挿通孔６を形成することができ、前記バネ収納室７は挿通孔６と直交する方向に広がり、Ｃリングバネ８を収納した大径のバネ収納室７となる。
【００１７】
上記キャッチは、本実施例の場合、別の装飾体１’に内蔵されている。
図３に例示するように、中空体からなる装飾体１’に開口部１ａ’が形成されており、前記のように組み立てられたキャッチが開口部１ａ’から挿入され、第１台部１１の頭部側が開口部１ａ’を覆って、連続面となっている（図２参照）。
別の装飾体１’の形状は図示例に限定されず、前記キャッチを内蔵可能な形状であればよく、あるいは、この考案では第１部材１１が別の装飾体１’となるものであってもよい。
【００１８】
上記構成からなるピアス用キャッチの作用を図５を参照しながら説明する。
図５（ａ）に示すように、ピアスの前記ピン２をキャッチ本体５の挿入口１３から挿通孔６内に侵入させる。
この際に、前記Ｃリングバネ８は縮径しており、挿通孔６の一部を塞いでいる。
【００１９】
更に、前記ピン２を挿通孔６内に侵入させると、図５（ｂ）に示すように、ピン２の先端がＣリングバネ８の中央の孔に挿入されて、徐々にＣリングバネ８を付勢力に抗して押し広げ拡径し、ピン２の最大径部分により最も拡大変形する。
【００２０】
更に前記ピン２を進動させて、ピン２の係止凹部３がバネ収納室７まで侵入すると、Ｃリングバネ８は縮小方向に働く付勢力で前記係止凹部３に係止される（図５（ｃ）参照）。
これによりピン２は係止凹部３でＣリングバネ８に係止されるので、ピン２はロックされる。
【００２１】
このロックを解除する場合には、ピン２を引き抜く方向に強く引っ張ると、ピン２は退動し、前記係止凹部３からＣリングバネ８が外れ、ピン２（の大径部分）によりＣリングバネ８の孔が付勢力に抗して押し広げられるので、ピン２を抜き取ることができる。
【００２２】
ここで、前記バネ収納室７の直径は、前記ピン２の挿入によりＣリングバネ８が拡大変形する際に、Ｃリングバネ８が繰り返し復元可能な程度の変形量に留まるように規制する直径に設定されている。
これにより、Ｃリングバネ８が拡大しすぎてバネの限界点を超えたり、弾性力を弱めることが無いように制限することができる。
【００２３】
上記実施例でＣリングバネ８は、断面円形のリングの一端を破断したものを例示したが、スプリングワッシャを用いてもよい。
また、キャッチ本体は、挿通孔の軸線と直交する方向で分割した例を示したが、挿通孔の軸線に沿って分割したものを連結する構成であってもよい。
その他、要するにこの考案の要旨を変更しない範囲で種々設計変更しうること勿論である。
【図面の簡単な説明】
【００２４】
【図１】ピアス用キャッチの実施例の要部を示す拡大図である。
【図２】ピアスのピンをキャッチに係止した状態を示す断面図である。
【図３】ピアス用キャッチの組立状態を示す分解断面図である。
【図４】Ｃリングバネの平面図である。
【図５】ピンをキャッチのロックする段階を示す図であって、（ａ）はピンの挿入状態、（ｂ）はＣリングバネの拡径状態、（ｃ）はＣリングバネによるロック状態を示す。
【符号の説明】
【００２５】
１    装飾体
１’  別体の装飾体
２    ピン
３    係止凹部
５    キャッチ本体
６    挿通孔
７    バネ収納室
８    Ｃリングバネ
１０    第１部材
１１    第１台部
１２    貫通孔
１３    挿入口
１４    凹部
２０    第２部材
２１    第２台部
２２    小径突部
２３    孔部
【図１】
0003147200.tif 000003
【図２】
0003147200.tif 000004
【図３】
0003147200.tif 000005
【図４】
0003147200.tif 000006
【図５】
0003147200.tif 000007